(57)【要約】      （修正有）【課題】涼しい風を得ることができる扇風機カバーを提供する。【解決手段】扇風機カバー１は、扇風機カバー本体２と布３を備えている。扇風機カバー本体は、ナイロン、ビニール、絹、綿などで形成されている。布は、綿、絹、ナイロンなどで形成されている。扇風機カバー本体は、扇風機カバー本体表面部２ａと端部２ｂを有している。扇風機カバー本体表面部は、扇風機カバー本体の表面に網状に形成されており、外表面に扇風機カバー本体第一表面部を有しており、内表面に扇風機カバー本体第二表面部を有している。端部は、扇風機カバー本体の端部に形成されている。【選択図】図１
2013087706.tif 000002
【特許請求の範囲】
【請求項１】
扇風機に装着するための扇風機カバーであって、
扇風機カバー本体と布を備え、
前記扇風機カバー本体は、扇風機カバー本体表面部と端部を有し、
前記扇風機カバー本体表面部は、前記扇風機カバー本体の表面に網状に形成されており、
外表面に、扇風機カバー本体第一表面部を有しており、内表面に、扇風機カバー本体第二表面部を有しており、
前記端部は、前記扇風機カバー本体の端部に形成されており、
前記布は、一方の面に布第一表面部を有し、他方の面に布第二表面部を有し、
前記布と前記扇風機カバー本体は、前記布第二表面部と前記第一扇風機カバー本体第一表面部が係着することによって係合することを特徴とする扇風機カバー。
【請求項２】
前記扇風機カバー本体第一表面部には、扇風機カバー本体側ファスナーテープが係着されており、
前記布第二表面部には、布側ファスナーテープが係着されており、
前記布と前記扇風機カバー本体は、前記布側ファスナーテープと前記扇風機カバー本体側ファスナーテープが係着することによって係合することを特徴とする請求項１に記載の扇風機カバー。
【請求項３】
扇風機に装着するための扇風機カバーであって、
前記扇風機カバー本体と係合手段を備えることを特徴とする扇風機カバー。
【請求項４】
前記係合手段は、洗濯ばさみであって、
前記洗濯ばさみと前記扇風機カバー本体は、前記洗濯ばさみを前記扇風機カバー本体に掛着することによって係合することを特徴とする請求項３に記載の扇風機カバー。
【請求項５】
前記係合手段は、フックであって、
前記フックは、第一梁と第二梁と柱を有し、
前記第一梁は、一方の端部近傍から前記第一梁の外部に延出して係止部が形成されており、他方の端部は、前記柱と係着しており、
前記第二梁は、一方の端部近傍から前記第二梁の外部に延出して係止部が形成されており、他方の端部は、前記柱と係着しており、
前記フックと前記扇風機カバー本体は、前記第一梁を前記扇風機カバー本体に掛着することによって係合することを特徴とする請求項３に記載の扇風機カバー。
【発明の詳細な説明】
【技術分野】
【０００１】
本発明は、涼しい風を得ることができる扇風機カバーに関する。
【背景技術】
【０００２】
扇風機には、回転している扇風機の羽根に異物が接触することによって、扇風機の羽根などが損傷することを防止するために、扇風機カバーを装着することがある。
扇風機カバーに、扇風機から送風されてくる風を冷却する手段を設ければ、扇風機から送風する風をより涼しくすることができる。
【０００３】
背景技術には、特許文献１がある。
特許文献１に示す扇風機カバーは、扇風機から送風されてくる風の一部が冷却剤によって遮断されてしまう。
【０００４】
【特許文献１】実用新案登録第３１３９３２０号公報
【発明の開示】
【発明が解決しようとする課題】
【０００５】
本発明は、涼しい風を得ることができる扇風機カバーを提供することを目的とする。
【課題を解決するための手段】
【０００６】
上記課題を解決するために、本発明の扇風機カバーは、扇風機カバー本体と布を備えている。
扇風機カバー本体は、ナイロン、ビニール、絹、綿などで形成されている。
布は、綿、絹、ナイロンなどで形成されている。
【０００７】
扇風機カバー本体は、扇風機カバー本体表面部と端部を有している。
扇風機カバー本体表面部は、扇風機カバー本体の表面に網状に形成されており、外表面に扇風機カバー本体第一表面部を有しており、内表面に扇風機カバー本体第二表面部を有している。
端部は、扇風機カバー本体の端部に形成されている。
布は、一方の面に布第一表面部を有し、他方の面に布第二表面部を有する。
布と扇風機カバー本体は、布第二表面部を扇風機カバー本体第一表面部に接触させて、布を扇風機カバー本体に糸やピアノ線や金属線などで縫いつけて係着することによって係合する。
ただし、布と扇風機カバー本体は、布第二表面部を扇風機カバー本体第一表面部に接着剤で接着する、あるいは、布第二表面部を扇風機カバー本体第一表面部に熱圧着して係着することによって係合することもできる。
【０００８】
本発明の扇風機カバーの使用方法について説明する。
扇風機は、送風部分を有する。
送風部分の内部には、ブレードが設置されている。
布に水を吸収させて、本発明の扇風機カバーを扇風機の送風部分に装着する。
送風部分の内部に設置されたブレードを回転させると、送風部分から風が送風される。
扇風機の送風部分から風が送風されると、扇風機カバー本体表面部は網状に形成されているので、扇風機の送風部分から送風された風は、扇風機カバー本体第二表面部から扇風機カバー本体第一表面部に送風され、扇風機カバー本体第一表面部から扇風機カバーの外部に送風される。
扇風機カバーの外部に送風された風のうちの一部の風は布に当たる。
風が布に当たると、風が有している熱の一部は、布に吸水された水の蒸発に用いられるために、布に当たった風は、扇風機の送風部分から送風されたときよりも低い温度になるので、扇風機から涼しい風を得ることができる。
【発明の効果】
【０００９】
本発明の扇風機カバーを用いれば、扇風機から涼しい風を得ることができる。
【発明を実施するための最良の形態】
【００１０】
図面に基づいて発明を実施するための最良の形態を説明する。
【実施例１】
【００１１】
実施例１の扇風機カバー１は、図１、図２、図３、図４に示すように、扇風機カバー本体２と布３を備えている。
扇風機カバー本体２は、ナイロン、ビニール、絹、綿などで形成されている。
布３は、綿、絹、ナイロンなどで形成されている。
【００１２】
扇風機カバー本体２は、図１、図２、図３、図４に示すように、扇風機カバー本体表面部２ａと端部２ｂを有する。
扇風機カバー本体表面部２ａは、図１、図２、図３、図４に示すように、扇風機カバー本体２の表面に網目状に形成されている。
扇風機カバー本体表面部２ａは、図１、図２、図３、図４、図５に示すように、扇風機カバー本体第一表面部２ａａと扇風機カバー本体第二表面部２ａｂを有する。
扇風機カバー本体第一表面部２ａａは、図１、図２、図３、図４、図５に示すように、扇風機カバー本体表面部２ａの外表面に形成されている。
扇風機カバー本体第二表面部２ａｂは、図１、図２、図３、図４、図５に示すように、扇風機カバー本体表面部２ａの内表面に形成されている。
端部２ｂは、図１、図２、図３、図４に示すように、扇風機カバー本体２の端部に形成されている。
布３は、図１、図２、図３、図４、図５に示すように、一方の面に布第一表面部３ａを有し、他方の面に布第二表面部３ｂを有する。
布３と扇風機カバー本体２は、図１、図２、図３、図４、図５に示すように、布第二表面部３ｂと第一扇風機カバー本体第一表面部２ａａが係着することによって係合する。
布３と扇風機カバー本体２は、布第二表面部３ｂを第一扇風機カバー本体第一表面部２ａａに接触させて、布３を扇風機カバー本体２に糸やピアノ線や金属線で縫いつけて係着することによって係合している。
ただし、布３と扇風機カバー本体２は、布第二表面部３ｂを扇風機カバー本体第一表面部２ａａに接着剤で接着する、あるいは、布第二表面部３ｂを扇風機カバー本体第一表面部２ａａに熱圧着することによって係合してもよい。
【００１３】
実施例１の扇風機カバー１の使用方法について説明する。
扇風機４は、図６(ａ)に示すように、送風部分４ａを有する。
送風部分４ａの内部には、図６(ａ)に示すように、ブレード４ｂが設置されている。
布３に水を吸収させて、図６(ｂ)に示すように、実施例１の扇風機カバー１を扇風機４の送風部分４ａに装着する。
図６(ｃ)に示すように、送風部分４ａの内部に設置されたブレード４ｂを回転させれば、送風部分４ａから風５が送風される。
扇風機４の送風部分４ａから風５が送風されると、扇風機カバー本体表面部２ａは網状に形成されているので、扇風機４の送風部分４ａから送風された風５は、扇風機カバー本体第二表面部２ａｂから扇風機カバー本体第一表面部２ａａに送風され、扇風機カバー本体第一表面部２ａａから扇風機カバー１の外部に送風される。
扇風機カバー２の外部に送風された風５のうちの一部の風５は、図６(ｃ)に示すように、布３に当たる。
風５は、布３に当たると、風５が有している熱の一部は、布３に吸収された水の蒸発に用いられるために、布３に当たった風５は、扇風機４の送風部分４ａから送風されたときよりも低い温度になるので、扇風機４から涼しい風５を得ることができる。
【００１４】
図６(ｂ)(ｃ)では、布３は１つしか設けられていない。
しかし、布３は、図７(ａ)に示すように、２以上設けてもよい。
布３が２以上設けられていると、図７(ｂ)に示すように、送風部分４ａから送風された風５をより冷やすことができるので、扇風機４からより涼しい風５を得ることができる。
図７(ａ)(ｂ)では、布３は、３つ設けられているが、布３は、２つ、あるいは、４つ以上設けてもよい。
【実施例２】
【００１５】
実施例２の扇風機カバー１は、実施例１の扇風機カバー１の変形例である。
実施例２の扇風機カバー１は、扇風機カバー本体第一表面部２ａａに、図８(ａ)(ｂ)(ｃ)、図９(ａ)(ｂ)(ｃ)に示すように、扇風機カバー本体側ファスナーテープ６ａが係着されており、布第二表面部３ｂに、図８(ａ)(ｂ)(ｃ)、図１０(ａ)(ｂ)(ｃ)に示すように、布側ファスナーテープ６ｂが係着されている点が、実施例１とは異なる。
扇風機カバー本体２と布３は、図１１(ａ)(ｂ)に示すように、扇風機カバー本体側ファスナーテープ６ａと布側ファスナーテープ６ｂが係着することによって係合する。
【００１６】
ファスナーテープには、フックファスナーテープ６ｃとループファスナーテープ６ｄがある。
フックファスナーテープ６ｃは、図１２(ａ)に示すように、一方の面にフック毛６ｅが設けられている。
ループファスナーテープ６ｄは、図１２(ｂ)に示すように、一方の面にループ毛６ｆが設けられている。
フックファスナーテープ６ｃとループファスナーテープ６ｄは、押しつけるだけで係着する。
【００１７】
扇風機カバー本体側ファスナーテープ６ａと布側ファスナーテープ６ｂを係着するためには、扇風機カバー本体側ファスナーテープ６ａがフックファスナーテープ６ｃである際には、布側ファスナーテープ６ｂはループファスナーテープ６ｄでなければならず、扇風機カバー本体側ファスナーテープ６ａがループファスナーテープ６ｄである際には、布側ファスナーテープ６ｂはフックファスナーテープ６ｃでなければならない。
ファスナーテープは、面テープ、ワンタッチテープ、マジックテープ(登録商標)と呼ばれることもある。
【００１８】
係着したフックファスナーテープ６ｃとループファスナーテープ６ｄは、引っ張れば分離することができる。
このため、係着した扇風機カバー本体側ファスナーテープ６ａと布側ファスナーテープ６ｂは、引っ張れば分離することができる。
【００１９】
実施例２の扇風機カバー１の使用方法について説明する。
扇風機４は、図１３(ａ)に示すように、送風部分４ａを有する。
送風部分４ａの内部には、図１３(ａ)に示すように、ブレード４ｂが設置されている。
実施例２の扇風機カバー１の布３に水を吸収させて、図１３(ｂ)に示すように、実施例２の扇風機カバー１を扇風機４の送風部分４ａに装着する。
ただし、実施例２の扇風機カバー本体２を扇風機４に装着してから、水を吸収させた布３に水を実施例２の扇風機カバー本体２に係着させてもよい。
図１３(ｃ)に示すように、送風部分４ａの内部に設置されたブレード４ｂを回転させれば、送風部分４ａから風５が送風される。
扇風機４の送風部分４ａから風５が送風されると、扇風機カバー本体表面部２ａは網状に形成されているので、扇風機４の送風部分４ａから送風された風５は、扇風機カバー本体第二表面部２ａｂから扇風機カバー本体第一表面部２ａａに送風され、扇風機カバー本体第一表面部２ａａから扇風機カバー１の外部に送風される。
扇風機カバー２の外部に送風された風５のうち一部の風５は布３に当たる。
風５は、図１３(ｃ)に示すように、布３に当たると、風５が有している熱の一部は、布３に吸収された水の蒸発に用いられるために、布３に当たった風５は、扇風機４の送風部分４ａから送風されたときよりも低い温度になるので、扇風機４から涼しい風５を得ることができる。
【００２０】
図８、図９(ａ)(ｂ)(ｃ)、図１１(ａ)(ｂ)、図１３(ａ)(ｂ)(ｃ)では、扇風機カバー本体側ファスナーテープ６ａは１つしか設けられてはいない。
しかし、扇風機カバー本体側ファスナーテープ６ａは、図１４(ａ)(ｂ)(ｃ)に示すように、２以上設けてもよい。
扇風機カバー本体側ファスナーテープ６ａが、２以上設けられていると、布３を扇風機カバー本体２に２以上係着することができる。
布３を扇風機カバー本体２に２以上係着すると、送風部分４ａから送風された風５をより冷やすことができる。
図１４(ａ)(ｂ)(ｃ)では、扇風機カバー本体側ファスナーテープ６ａと布側ファスナーテープ６ｂが設けられている布３は、３つ設けられているが、扇風機カバー本体側ファスナーテープ６ａと布側ファスナーテープ６ｂが設けられている布３は、２つ、あるいは、４つ以上設けてもよい。
【００２１】
実施例２の扇風機カバー１は、図１１(ａ)(ｂ)、図１３(ａ)(ｂ)(ｃ)、図１４(ａ)(ｂ)(ｃ)に示すように、布３を扇風機カバー本体２に係着したり、布３を扇風機カバー本体２から分離することができるので、実施例１の扇風機カバー１のように、扇風機カバー１を扇風機４から脱着しなくても、布３を扇風機カバー本体２から分離して吸水して、扇風機カバー本体２に係着することができる。
【実施例３】
【００２２】
実施例３の扇風機カバー１は、図１５、図１６、図１７、図１８に示すように、扇風機カバー本体２と洗濯ばさみ７を備えている。
実施例３の扇風機カバー本体２は、実施例１の扇風機カバー２と同じである。
洗濯ばさみ７は、図１９(ａ)に示すように、第一部材７ａと第二部材７ｂとバネ７ｃを有する。
第一部材７ａは、図１９(ａ)、(ｂ)に示すように、第一部材握り部７ａａと第一部材中間部７ａｂと第一部材はさみ部７ａｃを有する。
第一部材握り部７ａａは、図１９(ｂ)に示すように、第一部材７ａの一端に形成されており、第一部材はさみ部７ａｃは、第一部材７ａの他端に形成されており、第一部材中間部７ａｂは、第一部材握り部７ａａと第一部材はさみ部７ａｃの間に形成されている。
第一部材中間部７ａｂは、図１９(ａ)、(ｂ)に示すように、第一部材係着部７ａｂａと第一部材バネ係着部７ａｂｂを有する。
第二部材７ｂは、図１９(ａ)、(ｃ)に示すように、第二部材握り部７ｂａと第二部材中間部７ｂｂと第二部材はさみ部７ｂｃを有する。
図１９(ｃ)に示すように、第二部材握り部７ｂａは、第二部材７ｂの一端に形成されており、第二部材はさみ部７ｂｃは、第二部材７ｂの他端に形成されており、第二部材中間部７ｂｂは、第二部材握り部７ｂａと第二部材はさみ部７ｂｃの間に形成されている。
第二部材握り部７ｂａは、図１９(ａ)、(ｃ)に示すように、切り欠き部７ｂａａを有する。
第二部材中間部７ｂｂは、図１９(ａ)、(ｃ)に示すように、第二部材係着部７ｂｂａを有し、図１９(ｃ)に示すように、第二部材バネ係着部７ｂｂｂを有する。
バネ７ｃは、図１９(ｄ)に示すように、一端にバネ第一端部７ｃａを有し、他端にバネ第二端部７ｃｂを有する。
第一部材７ａと第二部材７ｂは、図１９(ａ)に示すように、第一部材係着部７ａｂａと第二部材係着部７ｂｂａが係着することによって係合する。
第一部材７ａとバネ７ｃは、第一部材バネ係着部７ａｂｂとバネ第一端部７ｃａが係着することによって係合する。
第二部材７ｂとバネ７ｃは、第二部材バネ係着部７ｂｂｂとバネ第二端部７ｃｂが係着することによって係合する。
洗濯ばさみ７と扇風機カバー本体２は、図１５、図１６、図１７、図１８、図２０(ａ)(ｂ)に示すように、切り欠き部７ｂａａを扇風機カバー本体２を掛着することによって係合する。
第一部材はさみ部７ａｃと第二部材はさみ部７ｂｃは、バネ７ｃに押されることによって、第一部材はさみ部７ａｃと第二部材はさみ部７ｂｃの間には、物を挟み込む力が生じる。
【００２３】
切り欠き７ｂａａには、図２１(ａ)に示すように、開口部７ｂａｂを形成してもよい。
開口部７ｂａｂは、第二部材７ｂの一方の表面から他方の表面に貫設して形成されている。
切り欠き７ｂａａの端部に開口部７ｂｂｄが形成されていると、洗濯ばさみ７は、扇風機カバー本体２から離脱して転落ににくくなる。
洗濯ばさみ７は、図２１(ｂ)に示すように、第二部材７ｂには、切り欠き７ｂａａを設けないで、開口部７ｂａｂのみを形成してもよい。
第二部材７ｂに開口部７ｂａｂのみが形成されている際には、洗濯ばさみ７と扇風機カバー本体２は、図２２に示すように、第二部材７ｂを扇風機カバー本体第一表面部２ａａに接触させて、糸を開口部７ｂａｂに貫入することによって第二部材７ｂの一方の表面から他方の表面に通して、糸を扇風機カバー本体２に結びつけることによって係合する。
ただし、第二部材７ｂに開口部７ｂａｂのみが形成されている際には、洗濯ばさみ７と扇風機カバー本体２は、ピアノ線、あるいは、金属線を開口部７ｂａｂに貫入することによって第二部材７ｂの一方の表面から他方の表面に通して、ピアノ線、あるいは、金属線を扇風機カバー本体２に結びつけることによって係合してもよい。
【００２４】
実施例３の扇風機カバー１の使用方法について説明する。図２３に(ａ)に示すように、実施例３の扇風機カバー１を扇風機４に装着する。
布３に、水を吸収させる。
洗濯ばさみ７の第一部材はさみ部７ａｃと第二部材はさみ部７ｂｃの間に、図２３(ｂ)に示すように、布３を挟んでから、実施例３の扇風機カバー１を扇風機４に装着する。
ただし、水を吸水させた布３を第一部材はさみ部７ａｃと第二部材はさみ部７ｂｃの間に挟んでから、実施例３の扇風機カバー１を扇風機４に装着してもよい。
図２３(ｃ)に示すように、送風部分４ａの内部に設置されたブレード４ｂを回転させれば、送風部分４ａから風５が送風される。
扇風機４の送風部分４ａから風５が送風されると、扇風機カバー本体表面部２ａは網状に形成されているので、扇風機４の送風部分４ａから送風された風５は、扇風機カバー本体第二表面部２ａｂから扇風機カバー本体第一表面部２ａａに送風され、扇風機カバー本体第一表面部２ａａから扇風機カバー１の外部に送風される。
扇風機カバー２の外部に送風された風５のうち一部の風５は布３に当たる。
風５は、図２３(ｃ)に示すように、布３に当たると、風５が有している熱の一部は、布３に吸収された水の蒸発に用いられるために、布３に当たった風５は、扇風機４の送風部分４ａから送風されたときよりも低い温度になるので、扇風機４から涼しい風５を得ることができる。
図２３(ａ)(ｂ)(ｃ)では、洗濯ばさみ７には、布３が係着されている。
実施例３の扇風機カバー１の洗濯ばさみ７には、濡らした布３だけではなく、濡れたタオルやシャツなどの濡れた洗濯物や、冷蔵庫、あるいは、冷凍庫で冷凍した冷却剤を係着してもよい。
図２３(ａ)(ｂ)(ｃ)に示す洗濯ばさみ７は、図１９(ａ)(ｂ)(ｃ)(ｄ)に示す第二部材握り部７ｂａに切り欠き部７ｂａａを有する洗濯ばさみ７、図２１(ａ)に示す第二部材握り部７ｂａに開口部７ｂａｂが形成されている切り欠き部７ｂａａを有する洗濯ばさみ７、図２１(ｂ)に示す第二部材７ｂに開口部７ｂａｂを有する洗濯ばさみ７のうちのいずれか一つである。
【００２５】
図２３(ａ)(ｂ)(ｃ)では、洗濯ばさみ６は１つしか設けられていない。
しかし、洗濯ばさみ７は、図２４(ａ)(ｂ)(ｃ)に示すように、２以上設けてもよい。
洗濯ばさみ７が、２以上設けられていると、洗濯ばさみ７には、濡れた布３を２以上掛着することができるので、送風部分４ａの内部から送風された風５をより冷やすことができる。
洗濯ばさみ７に、冷蔵庫や冷凍庫で冷凍した冷却剤を係着すると、送風部分４ａから送風された風５を布３を洗濯ばさみ７に係着した際よりも、さらに冷やすことができるので、さらに扇風機４から涼しい風５を得ることができる。
図２４(ａ)(ｂ)(ｃ)では、洗濯ばさみ７は、３つ設けられているが、洗濯ばさみ７は、２つ、あるいは、４つ以上設けてもよい。
図２４(ａ)(ｂ)(ｃ)に示す洗濯ばさみ７は、図１９(ａ)(ｂ)(ｃ)(ｄ)に示す第二部材握り部７ｂａに切り欠き部７ｂａａを有する洗濯ばさみ７、図２１(ａ)に示す第二部材握り部７ｂａに開口部７ｂａｂが形成されている切り欠き部７ｂａａを有する洗濯ばさみ７、図２１(ｂ)に示す第二部材７ｂに開口部７ｂａｂを有する洗濯ばさみ７のうちのいずれか一つである。
【００２６】
実施例３の扇風機カバー１を使用すれば、実施例１の扇風機カバー１や実施例２の扇風機カバー１のように布３だけではなく、濡れたタオルやシャツなどの濡れた洗濯物や、冷蔵庫、あるいは、冷凍庫で冷凍した冷却剤を洗濯ばさみ７に係着することによって涼しい風を得ることができる。
【実施例４】
【００２７】
実施例４の扇風機カバー１は、図２５、図２６、図２７、図２８に示すように、扇風機カバー本体２とフック８を備えている。
実施例４の扇風機カバー本体２は、実施例１の扇風機カバー２と同じである。
フック８は、図２９に示すように、第一梁８ａと第二梁８ｂと柱８ｃを有する。
第一梁８ａは、図２９(ａ)(ｂ)(ｃ)(ｄ)に示すように、一方の端部近傍から第一梁８ａの外部に延出して第一梁係止部８ａａが形成されており、他方の端部は、柱８ｃと係着している。
第二梁８ｂは、図２９(ａ)(ｂ)(ｃ)(ｄ)に示すように、一方の端部近傍から第二梁８ｂの外部に延出して第二梁係止部８ｂａが形成されており、他方の端部は、柱８ｃと係着している。
フック８と扇風機カバー本体２は、図３０(ａ)(ｂ)に示すように、第一梁８ａを扇風機カバー本体２に掛着することによって係合する。
第一梁８ａは、扇風機カバー本体２から離脱しにくくするために、図２５、図２６、図２７、図２８、図３０(ｂ)に示すように、第一梁係止部８ａａで扇風機カバー本体２に係止している。
【００２８】
実施例４の扇風機カバー１の使用方法について説明する。図３１(ａ)に示すように、実施例４の扇風機カバー１を扇風機４に装着する。
布３に、水を吸収させる。
図３１(ｂ)に示すように、布３をフック８に掛着することによって係合する。
図３１(ｃ)に示すように、送風部分４ａの内部に設置されたブレード４ｂを回転させれば、送風部分４ａから風５が送風される。
扇風機４の送風部分４ａから風５が送風されると、扇風機カバー本体表面部２ａは網状に形成されているので、扇風機４の送風部分４ａから送風された風５は、扇風機カバー本体第二表面部２ａｂから扇風機カバー本体第一表面部２ａａに送風され、扇風機カバー本体第一表面部２ａａから扇風機カバー１の外部に送風される。
扇風機カバー２の外部に送風された風５のうち一部の風５は布３に当たる。
風５は、図３１(ｃ)に示すように、布３に当たると、風５が有している熱の一部は、布３に吸収された水の蒸発に用いられるために、布３に当たった風５は、扇風機４の送風部分４ａから送風されたときよりも低い温度になるので、扇風機４から涼しい風５を得ることができる。
フック８に掛着した布３が風５によって離脱しないようにするために、フック８に布３に掛着した後に、洗濯ばさみ７を布３に係着することによって、フック８に布３をより強力な力で係着させてもよい。
【００２９】
図３１(ｃ)では、フック８には、布３が係着されているが、実施例４の扇風機カバー１のフック８には、実施例１の扇風機カバー１や実施例２の扇風機カバー１のように布３だけではなく、濡れたタオルやシャツなどの濡れた洗濯物や、冷蔵庫、あるいは、冷凍庫で冷凍した冷却剤を係着してもよい。
フック８に掛着した濡れたタオルやシャツなどの濡れた洗濯物や、冷蔵庫、あるいは、冷凍庫で冷凍した冷却剤が風５によって、フック８から離脱しにくくするようにするために、フック８に濡れたタオルやシャツなどの濡れた洗濯物や、冷蔵庫、あるいは、冷凍庫で冷凍した冷却剤に掛着した後に、洗濯ばさみ７を濡れたタオルやシャツなどの濡れた洗濯物や、冷蔵庫、あるいは、冷凍庫で冷凍した冷却剤に係着することによって、フック８に濡れたタオルやシャツなどの濡れた洗濯物や、冷蔵庫、あるいは、冷凍庫で冷凍した冷却剤をより強力な力で係着させてもよい。
【００３０】
図２５、図２６、図２７、図２８、図３０(ａ)(ｂ)、図３１(ａ)(ｂ)(ｃ)では、フック８は１つしか設けられていない。
しかし、フック８は、図３２(ａ)(ｂ)(ｃ)に示すように、２以上設けてもよい。
フック８が、２以上設けられていると、送風部分４ａの内部から送風された風５をより冷やすことができる。
フック８に、冷蔵庫や冷凍庫で冷凍した冷却剤を係着すると、フック８には、濡れた布３を２以上掛着することができるので、送風部分４ａから送風された風５をさらに冷やすことができるので、さらに涼しい風５を得ることができる。
【００３１】
図３３(ｃ)では、フック８には、布３が係着されているが、実施例４の扇風機カバー１のフック８には、実施例１の扇風機カバー１や実施例２の扇風機カバー１のように布３だけではなく、濡れたタオルやシャツなどの濡れた洗濯物や、冷蔵庫、あるいは、冷凍庫で冷凍した冷却剤を係着してもよい。
フック８に掛着した濡れたタオルやシャツなどの濡れた洗濯物や、冷蔵庫、あるいは、冷凍庫で冷凍した冷却剤が風５によって、フック８から離脱しにくくするようにするために、フック８に濡れたタオルやシャツなどの濡れた洗濯物や、冷蔵庫、あるいは、冷凍庫で冷凍した冷却剤に掛着した後に、洗濯ばさみ７を濡れたタオルやシャツなどの濡れた洗濯物や、冷蔵庫、あるいは、冷凍庫で冷凍した冷却剤に係着することによって、フック８に濡れたタオルやシャツなどの濡れた洗濯物や、冷蔵庫、あるいは、冷凍庫で冷凍した冷却剤をより強力な力で係着させてもよい。
【００３２】
実施例４の扇風機カバー１を使用すれば、実施例１の扇風機カバー１や実施例２の扇風機カバー１のように布３だけではなく、濡れたタオルやシャツなどの濡れた洗濯物や、冷蔵庫、あるいは、冷凍庫で冷凍した冷却剤をフック８に係着することによって涼しい風を得ることができる。 
【図面の簡単な説明】
【００３３】
【図１】実施例１の扇風機カバーの斜視図である。
【図２】実施例１の扇風機カバーの正面図である。
【図３】実施例１の扇風機カバーの背面図である。
【図４】実施例１の扇風機カバーの側面図である。
【図５】実施例１の扇風機カバーの側面方向の一部拡大断面図である。
【図６】(ａ)扇風機の斜視図である。(ｂ)実施例１の扇風機カバーを扇風機に装着した状態を示す斜視図である。(ｃ)実施例１の扇風機カバーを扇風機に装着して扇風機から送風した状態を示す扇風機の斜視図である。
【図７】(ａ)布が３枚係着されている実施例１の扇風機カバーの斜視図である。(ｂ)布が３枚係着されている実施例１の扇風機カバーを扇風機に装着して扇風機から送風した状態を示す斜視図である。
【図８】実施例２の扇風機カバーの斜視図である。
【図９】(ａ)実施例２の扇風機カバー本体の正面図である。(ｂ)実施例２の扇風機カバー本体の背面図である。(ｃ)実施例２の扇風機カバー本体の側面図である。
【図１０】(ａ)実施例２の布の正面図である。(ｂ)実施例２の布の背面図である。(ｃ)実施例２の布の側面図である。
【図１１】(ａ)扇風機カバー本体と布が係合する前の状態を示す側面図である。(ｂ)扇風機カバー本体と布が係合した後の状態を示す側面図である。
【図１２】(ａ)フックファスナーテープの斜視図である。(ｂ)ループファスナーテープの斜視図である。
【図１３】(ａ)扇風機の斜視図である。(ｂ)実施例２の扇風機カバーを扇風機に装着した状態を示す斜視図である。(ｃ)実施例２の扇風機カバーを扇風機に装着して扇風機から送風した状態を示す斜視図である。
【図１４】(ａ)扇風機カバー本体側ファスナーテープが３つ係着されている実施例２の扇風機カバー本体の斜視図である。(ｂ)布が３枚係着されている実施例２の扇風機カバーの斜視図である。(ｂ)布が３枚係着されている実施例２の扇風機カバーを扇風機に装着して扇風機から送風した状態を示す斜視図である。
【図１５】実施例３の扇風機カバーの斜視図である。
【図１６】実施例３の扇風機カバーの正面図である。
【図１７】実施例３の扇風機カバーの背面図である。
【図１８】実施例３の扇風機カバーの側面図である。
【図１９】(ａ)洗濯ばさみの斜視図である。(ｂ)洗濯ばさみの第一部材の斜視図である。(ｃ)洗濯ばさみの第二部材の斜視図である。(ｄ)洗濯ばさみのバネの斜視図である。
【図２０】(ａ)洗濯ばさみと扇風機カバー本体が係合する前の状態を示す側面図である。(ｂ)洗濯ばさみと扇風機カバー本体が係合した後の状態を示す側面図である。
【図２１】(ａ)切り欠きの一方の端部に開口部が形成されている洗濯ばさみの斜視図である。(ｂ)開口部が形成されている洗濯ばさみの斜視図である。
【図２２】開口部が形成されている洗濯ばさみと扇風機カバー本体を糸で係合した状態を示す斜視図である。
【図２３】(ａ)実施例３の扇風機カバーを扇風機に装着した状態を示す斜視図である。(ｂ)布が係着されている実施例３の扇風機カバーを扇風機に装着した状態を示す斜視図である。(ｃ)布が係着されている実施例３の扇風機カバーを扇風機に装着して扇風機から送風した状態を示す斜視図である。
【図２４】(ａ)布が３枚係着されている実施例３の扇風機カバーの斜視図である。(ｂ)布が３枚係着されている実施例３の扇風機カバーを扇風機に装着した状態を示す斜視図である。(ｃ)布が３枚係着されている実施例３の扇風機カバーを扇風機に装着して扇風機から送風した状態を示す斜視図である。
【図２５】実施例４の扇風機カバーの斜視図である。
【図２６】実施例４の扇風機カバーの正面図である。
【図２７】実施例４の扇風機カバーの背面図である。
【図２８】実施例４の扇風機カバーの側面図である。
【図２９】(ａ)フックの正面図である。(ｂ)フックの背面図である。(ｃ)フックを第一梁係止部、および、第二梁係止部方向から見た側面図である。(ｄ)フックを柱方向から見た側面図である。
【図３０】(ａ)フックと扇風機カバー本体が係合する前の状態を示す側面図である。(ｂ)フックと扇風機カバー本体が係合した後の状態を示す側面図である。
【図３１】(ａ)実施例４の扇風機カバーを扇風機に装着した状態を示す斜視図である。(ｂ)布が係着されている実施例４の扇風機カバーを扇風機に装着した状態を示す斜視図である。(ｃ)布が係着されている実施例４の扇風機カバーを扇風機に装着して扇風機から送風した状態を示す斜視図である。
【図３２】(ａ)フックが３つ係着されている実施例４の扇風機カバーの斜視図である。(ｂ)布が３枚係着されている実施例４の扇風機カバーを扇風機に装着した状態を示す斜視図である。(ｃ)布が３枚係着されている実施例４の扇風機カバーを扇風機に装着して扇風機から送風した状態を示す斜視図である。
【符号の説明】
【００３４】
１        扇風機カバー
２        扇風機カバー本体
２ａ      扇風機カバー本体表面部
２ａａ    扇風機カバー本体第一表面部
２ａｂ    扇風機カバー本体第二表面部
２ｂ      端部
３        布
３ａ      布第一表面部
３ｂ      布第二表面部
４        扇風機
４ａ      送風部分
４ｂ      ブレード
５        風
６ａ      扇風機カバー本体側ファスナーテープ
６ｂ      布側ファスナーテープ
６ｃ      フックファスナーテープ
６ｄ      ループファスナーテープ
６ｅ      フック毛
６ｆ      ループ毛
７        洗濯ばさみ
７ａ      第一部材
７ａａ    第一部材握り部
７ａｂ    第一部材中間部
７ａｂａ  第一部材係着部
７ａｂｂ  第一部材バネ係着部
７ａｃ    第一部材はさみ部
７ｂ      第二部材
７ｂａ    第二部材握り部
７ｂａａ  切り欠き部
７ｂａｂ  開口部
７ｂｂ    第二部材中間部
７ｂｂａ  第二部材係着部
７ｂｂｂ  第二部材バネ係着部
７ｂｃ    第二部材はさみ部
７ｃ      バネ
７ｃａ    バネ第一端部
７ｃｂ    バネ第二端部
７ｄ      糸
８        フック
８ａ      第一梁
８ａａ    第一梁係止部
８ｂ      第二梁
８ｂａ    第二梁係止部
８ｃ      柱
【図１】
2013087706.tif 000003
【図２】
2013087706.tif 000004
【図３】
2013087706.tif 000005
【図４】
2013087706.tif 000006
【図５】
2013087706.tif 000007
【図６】
2013087706.tif 000008
【図７】
2013087706.tif 000009
【図８】
2013087706.tif 000010
【図９】
2013087706.tif 000011
【図１０】
2013087706.tif 000012
【図１１】
2013087706.tif 000013
【図１２】
2013087706.tif 000014
【図１３】
2013087706.tif 000015
【図１４】
2013087706.tif 000016
【図１５】
2013087706.tif 000017
【図１６】
2013087706.tif 000018
【図１７】
2013087706.tif 000019
【図１８】
2013087706.tif 000020
【図１９】
2013087706.tif 000021
【図２０】
2013087706.tif 000022
【図２１】
2013087706.tif 000023
【図２２】
2013087706.tif 000024
【図２３】
2013087706.tif 000025
【図２４】
2013087706.tif 000026
【図２５】
2013087706.tif 000027
【図２６】
2013087706.tif 000028
【図２７】
2013087706.tif 000029
【図２８】
2013087706.tif 000030
【図２９】
2013087706.tif 000031
【図３０】
2013087706.tif 000032
【図３１】
2013087706.tif 000033
【図３２】
2013087706.tif 000034